(57)【特許請求の範囲】
【請求項１】
育成対象の植物が収容される育成室と、この育成室に二酸化炭素を含む重い空気を吸気し、前記重い空気の二酸化炭素が消費された軽い空気を前記育成室から排気する換気ユニットと、を備えた植物育成装置であって、
前記換気ユニットは、外界から前記育成室に前記重い空気を吸気する吸気ユニットと、前記吸気ユニットと対向した位置に設けられ該育成室から外界に前記軽い空気を排気する排気ユニットと、を有し、
前記吸気ユニットは、外界と連通した吸気口と、前記吸気口を開閉する吸気ダンパと、前記吸気口を通って外界から流入してきた前記重い空気を前記育成室に送風する送風機と、前記吸気ダンパを閉じて該育成室内において前記重い空気を循環させる際に前記重い空気を前記送風機の上流に導くための通路と、前記通路を開閉する循環ダンパと、を有し、
前記排気ユニットは、外界と連通した排気口と、この排気口を開閉する排気ダンパと、を有し、
前記換気ユニットは、前記吸気ダンパ及び排気ダンパを開いて前記循環ダンパを閉じることで前記育成室に前記重い空気を吸気し、前記育成室から前記軽い空気を排気する吸排気モードと、該吸気ダンパ及び排気ダンパを閉じて該循環ダンパを開くことで該育成室内の下方の前記重い空気を上方へ循環させる循環モードと、の２つのモードのうちのいずれか一方のモードで動作し、
前記育成室内に植物が植えられる栽培容器を更に備え、
前記栽培容器は、植物を水耕栽培するための水耕槽を有し、
前記水耕槽の上面に被せられ、植物が差し込まれる複数の差し込み口を有する蓋を更に備えることを特徴とする植物育成装置。
【請求項２】
前記吸排気モードは、前記軽い空気が前記育成室の上方に設けられた前記排気ユニットから外界へ排気され、
前記循環モードは、前記重い空気が前記通路を通って前記送風機の上流に戻り、前記育成室内を循環することを特徴とする請求項１に記載の植物育成装置。
【請求項３】
前記換気ユニットは、前記２つのモードを所定の時間ごとに互いに切り替えるように制御されることを特徴とする請求項１に記載の植物育成装置。
【請求項４】
前記育成室内に設けられ植物に対して光を照射する光源と、
前記植物育成装置の近傍に存在する人を検知する人検知センサと、を更に備え、
前記光源は、白色光を発する白色ＬＥＤと、赤色光を発する赤色ＬＥＤと、を有し、
前記人検知センサが人を検知している場合には前記赤色ＬＥＤから照射される赤色光の放射エネルギが前記白色ＬＥＤから照射される白色光の放射エネルギの１／２以下となるように制御され、前記人検知センサが人を検知していない場合には同赤色光の放射エネルギが同白色光の放射エネルギの１／２以上となるように制御されていることを特徴とする請求項１乃至請求項３のいずれか一項に記載の植物育成装置。
【請求項５】
前記吸気ユニットと前記排気ユニットとを結ぶエアフロー方向と直交する方向における両側面の少なくとも一方に設けられ前記育成室を開閉する扉と、前記育成室内の上方に設けられ前記光源が収容される光源収容室と、該光源収容室と連通されて前記光源からの熱を外部に廃熱するための廃熱孔と、を更に備え、
前記廃熱孔は、前記扉が設けられた側面において、前記扉を閉めたときに該扉の陰に隠れて外部に露出しない位置に設けられていることを特徴とする請求項４に記載の植物育成装置。
【請求項６】
前記光源収容室は、前記エアフロー方向における両端部の少なくとも一方に前記光源から発せられる熱を外部に放熱するためのスリットを有し、
前記スリットと前記廃熱孔とが廃熱路によって結ばれ、該廃熱路は、前記スリットと結ばれ前記エアフロー方向と直交する方向に伸びる直交部と、該直交部と連結され前記エアフロー方向と平行に伸びて前記廃熱孔と結ばれる平行部と、を有することを特徴とする請求項５に記載の植物育成装置。
【請求項７】
前記植物の成長に応じて前記栽培容器と前記光源との間隔が調整可能に構成されていることを特徴とする請求項４乃至請求項６のいずれか一項に記載の植物育成装置。
【請求項８】
前記栽培容器は、前記水耕槽の下方に配置され該水耕槽からの水が流れ込むバケットを有し、
前記バケットから前記水耕槽に水を汲み上げるポンプを更に備えたことを特徴とする請求項１に記載の植物育成装置。
【請求項９】
前記バケットの最大貯水容量は、前記水耕槽の最大貯水容量よりも大きいことを特徴とする請求項８に記載の植物育成装置。
【請求項１０】
前記水耕槽に供給される水を冷却して水温調整する水冷ユニットを更に備えたことを特徴とする請求項８又は請求項９に記載の植物育成装置。
【請求項１１】
前記蓋は、前記複数の差し込み口の各々に着脱可能に取り付けられるキャップを有することを特徴とする請求項１に記載の植物育成装置。
【請求項１２】
前記蓋は、前記育成室内に取り付けられた固定具により前記水耕槽に固定されていることを特徴とする請求項１に記載の植物育成装置。
【請求項１３】
前記複数の差し込み口の下面高さは、前記水耕槽に貯まった水の水面高さと略同じになるように構成されていることを特徴とする請求項１に記載の植物育成装置。
【請求項１４】
前記水耕槽は、自身の底面を貫通して垂直方向に伸びる筒形状の排水路と、この排水路の上側の開口部を囲うように設けられた仕切り板と、を有し、
前記仕切り板は、その上端部の水面方向高さが前記開口部よりも高くなるように形成され、かつ該開口部よりも水面方向高さが低い部分に開口を有することを特徴とする請求項１に記載の植物育成装置。
【請求項１５】
前記排水路は、前記水耕槽に対して着脱可能又は高さ調整可能となっていることを特徴とする請求項１４に記載の植物育成装置。
【請求項１６】
前記水耕槽は、前記育成室の底面を構成する水耕槽受けに載置され、
前記水耕槽受けは、前記排水路が挿通される縦穴と、前記水耕槽の表面で生じた結露水が貯まる溝と、を有し、
前記溝は、前記結露水が前記縦穴へ流れ込むように該縦穴に向かって傾斜していることを特徴とする請求項１４又は請求項１５に記載の植物育成装置。
【請求項１７】
複数の前記育成室を互いに横並びに配置した状態で連結する第１の連結ユニットを更に備え、
前記第１の連結ユニットは、一方の前記育成室と他方の前記育成室との間で互いに空気が流れるように各々の前記育成室同士を連通させることを特徴とする請求項１乃至請求項１６のいずれか一項に記載の植物育成装置。
【請求項１８】
複数の前記水耕槽を互いに縦並びに配置した状態で連結する第２の連結ユニットを更に備え、
前記第２の連結ユニットは、一方の前記水耕槽から他方の前記水耕槽へ水が流れるように各々の前記水耕槽同士を連結することを特徴とする請求項１に記載の植物育成装置。
【請求項１９】
植物の種子を発芽させるための発芽室を更に備えたことを特徴とする請求項１乃至請求項１８のいずれか一項に記載の植物育成装置。
【請求項２０】
前記２つのモードの切り替え時間に関する情報を記憶する記憶部と、前記記憶部に記憶された情報に基づいて前記換気ユニットの動作を制御する換気ユニット制御部と、を更に備えたことを特徴とする請求項３に記載の植物育成装置。
【請求項２１】
前記記憶部に記憶される情報は、外部サーバより電気通信回線を通じて供給されることを特徴とする請求項２０に記載の植物育成装置。
【発明の詳細な説明】
【技術分野】
【０００１】
本発明は、植物が育成される育成室を備えた植物育成装置に関する。
【背景技術】
【０００２】
従来から、植物が育成される育成室を備えた植物育成装置が知られている（例えば、特許文献１参照）。このような装置は、育成室から外界に空気を排気するための排気口と、この排気口に向けて送風する送風機と、排気口と対向した位置に設けられ外界から育成室に空気を吸気するための吸気口と、植物を照明するための光源と、を備える。送風機を動作させると空気が排気口から排気されて育成室内が負圧となり、その結果、吸気口から育成室に空気が吸気されて育成室が換気される。
【先行技術文献】
【特許文献】
【０００３】
【特許文献１】特開２００３−３０４７５４号公報
【発明の概要】
【発明が解決しようとする課題】
【０００４】
しかしながら、上述したような植物育成装置では、送風機が動作していない非吸気時には光合成によって生じた酸素が育成室の上方に溜まり、酸素よりも重く光合成に必要な二酸化炭素が育成室の下方に溜まるので、植物の葉に十分な二酸化炭素が行き届かない。そのため、光合成効率が悪くなって植物の育成効率が低下する。また、非吸気時には、例えば、光源から発せられた熱によって育成室内の温度や湿度が不均一になり、これも植物の育成に悪影響を及ぼす虞がある。一方、常に吸気を行うと育成室内の温度管理が難しくなる。
【０００５】
本発明は、上記課題を解決するものであって、植物が育成される育成室を備えた植物育成装置において、植物の育成効率を向上することができる植物育成装置を提供することを目的とする。
【課題を解決するための手段】
【０００６】
本発明の植物育成装置は、育成対象の植物が収容される育成室と、この育成室に二酸化炭素を含む重い空気を吸気し、前記重い空気の二酸化炭素が消費された軽い空気を前記育成室から排気する換気ユニットと、を備え、前記換気ユニットは、外界から前記育成室に前記重い空気を吸気する吸気ユニットと、前記吸気ユニットと対向した位置に設けられ該育成室から外界に前記軽い空気を排気する排気ユニットと、を有し、前記吸気ユニットは、外界と連通した吸気口と、前記吸気口を開閉する吸気ダンパと、前記吸気口を通って外界から流入してきた前記重い空気を前記育成室に送風する送風機と、前記吸気ダンパを閉じて該育成室内において前記重い空気を循環させる際に前記重い空気を前記送風機の上流に導くための通路と、前記通路を開閉する循環ダンパと、を有し、
前記排気ユニットは、外界と連通した排気口と、この排気口を開閉する排気ダンパと、を有し、前記換気ユニットは、前記吸気ダンパ及び排気ダンパを開いて前記循環ダンパを閉じることで前記育成室に前記重い空気を吸気し、前記育成室から前記軽い空気を排気する吸排気モードと、該吸気ダンパ及び排気ダンパを閉じて該循環ダンパを開くことで該育成室内の下方の前記重い空気を上方へ循環させる循環モードと、の２つのモードのうちのいずれか一方のモードで動作し、
前記育成室内に植物が植えられる栽培容器を更に備え、前記栽培容器は、植物を水耕栽培するための水耕槽を有し、前記水耕槽の上面に被せられ、植物が差し込まれる複数の差し込み口を有する蓋を更に備えることを特徴とする。
前記吸排気モードは、前記軽い空気が前記育成室の上方に設けられた前記排気ユニットから外界へ排気され、前記循環モードは、前記重い空気が前記通路を通って前記送風機の上流に戻り、前記育成室内を循環することが好ましい。
【０００７】
前記換気ユニットは、前記２つのモードを所定の時間ごとに互いに切り替えるように制御されることが好ましい。
【０００８】
上記植物育成装置において、前記育成室内に設けられ植物に対して光を照射する光源と、前記植物育成装置の近傍に存在する人を検知する人検知センサと、を更に備え、前記光源は、白色光を発する白色ＬＥＤと、赤色光を発する赤色ＬＥＤと、を有し、前記人検知センサが人を検知している場合には前記赤色ＬＥＤから照射される赤色光の放射エネルギが前記白色ＬＥＤから照射される白色光の放射エネルギの１／２以下となるように制御され、前記人検知センサが人を検知していない場合には同赤色光の放射エネルギが同白色光の放射エネルギの１／２以上となるように制御されていることが好ましい。
【０００９】
上記植物育成装置において、前記吸気ユニットと前記排気ユニットとを結ぶエアフロー方向と直交する方向における両側面の少なくとも一方に設けられ前記育成室を開閉する扉と、前記育成室内の上方に設けられ前記光源が収容される光源収容室と、該光源収容室と連通されて前記光源からの熱を外部に廃熱するための廃熱孔と、を更に備え、前記廃熱孔は、前記扉が設けられた側面において、前記扉を閉めたときに該扉の陰に隠れて外部に露出しない位置に設けられていることが好ましい。
【００１０】
前記光源収容室は、前記エアフロー方向における両端部の少なくとも一方に前記光源から発せられる熱を外部に放熱するためのスリットを有し、前記スリットと前記廃熱孔とが廃熱路によって結ばれ、該廃熱路は、前記スリットと結ばれ前記エアフロー方向と直交する方向に伸びる直交部と、該直交部と連結され前記エアフロー方向と平行に伸びて前記廃熱孔と結ばれる平行部と、を有することが好ましい。
【００１１】
上記植物育成装置において、前記植物の成長に応じて前記栽培容器と前記光源との間隔が調整可能に構成されていることが好ましい。
【００１２】
前記栽培容器は、前記水耕槽の下方に配置され該水耕槽からの水が流れ込むバケットを有し、上記植物育成装置において、前記バケットから前記水耕槽に水を汲み上げるポンプを更に備えることが好ましい。
【００１３】
前記バケットの最大貯水容量は、前記水耕槽の最大貯水容量よりも大きいことが好ましい。
【００１４】
上記植物育成装置において、前記水耕槽に供給される水を冷却して水温調整する水冷ユニットを更に備えることが好ましい。
【００１５】
上記植物育成装置において、前記蓋は、前記複数の差し込み口の各々に着脱可能に取り付けられる遮光性のキャップを有することが好ましい。
【００１６】
前記蓋は、前記育成室内に取り付けられた固定具により前記水耕槽に固定されていることが好ましい。
【００１７】
前記複数の差し込み口の下面高さは、前記水耕槽に貯まった水の水面高さと略同じになるように構成されていることが好ましい。
【００１８】
前記水耕槽は、自身の底面を貫通して垂直方向に伸びる筒形状の排水路と、この排水路の上側の開口部を囲うように設けられた仕切り板と、を有し、前記仕切り板は、その上端部の水面方向高さが前記開口部よりも高くなるように形成され、かつ該開口部よりも水面方向高さが低い部分に開口を有することが好ましい。
【００１９】
前記排水路は、前記水耕槽に対して着脱可能又は高さ調整可能となっていることが好ましい。
【００２０】
前記水耕槽は、前記育成室の底面を構成する水耕槽受けに載置され、前記水耕槽受けは、前記排水路が挿通される縦穴と、前記水耕槽の表面で生じた結露水が貯まる溝と、を有し、前記溝は、前記結露水が前記縦穴へ流れ込むように該縦穴に向かって傾斜していることが好ましい。
【００２１】
上記植物育成装置において、複数の前記育成室を互いに横並びに配置した状態で連結する第１の連結ユニットを更に備え、前記第１の連結ユニットは、一方の前記育成室と他方の前記育成室との間で互いに空気が流れるように各々の前記育成室同士を連通させることが好ましい。
【００２２】
上記植物育成装置において、複数の前記水耕槽を互いに縦並びに配置した状態で連結する第２の連結ユニットを更に備え、前記第２の連結ユニットは、一方の前記水耕槽から他方の前記水耕槽へ水が流れるように各々の前記水耕槽同士を連結することが好ましい。
【００２３】
上記植物育成装置において、植物の種子を発芽させるための発芽室を更に備えることが好ましい。
【００２４】
上記植物育成装置において、前記２つのモードの切り替え時間に関する情報を記憶する記憶部と、前記記憶部に記憶された情報に基づいて前記換気ユニットの動作を制御する換気ユニット制御部と、を更に備えることが好ましい。
【００２５】
前記記憶部に記憶される切り替え時間に関する情報は、外部サーバより電気通信回線を通じて供給されることが好ましい。
【発明の効果】
【００２６】
本発明によれば、換気ユニットが育成室に吸気及び排気する吸排気モードと、育成室内で空気を循環させる循環モードと、のいずれか一方のモードで機能する。そのため、吸排気モードにおいて外界から育成室に空気（二酸化炭素）を取り込み、循環モードにおいて育成室内の空気を循環させて育成室内における酸素／二酸化炭素濃度や温度、湿度を均一化することができるので、植物の育成効率が向上する。
【図面の簡単な説明】
【００２７】
【図１】本発明の第１の実施形態に係る植物育成装置の斜視図。
【図２】上記植物育成装置を図１のＡ方向から見た図とその一部拡大図。
【図３】（ａ）は図２のＩ−Ｉ線断面図、（ｂ）は同図のＩＩ−ＩＩ線断面図。
【図４】上記植物育成装置を図１のＢ方向から見たときの部分断面図。
【図５】上記植物育成装置を図１のＣ方向から見た図。
【図６】上記植物育成装置を構成する栽培容器の側断面図。
【図７】上記栽培容器の上面図。
【図８】（ａ）は上記植物育成装置を構成するポンプ及び水冷ユニットの側面図、（ｂ）は同ポンプ及び水冷ユニットの正面図とその一部拡大図。
【図９】上記植物育成装置において外界から装置内部に空気を吸排気しているときの様子を示す図。
【図１０】上記植物育成装置において装置内部で空気を循環させているときの様子を示す図。
【図１１】本発明の第２の実施形態に係る植物育成装置の斜視図。
【図１２】上記植物育成装置の断面図。
【図１３】（ａ）は上記植物育成装置を構成する蓋の上面図、（ｂ）は（ａ）のＩ−Ｉ線断面図。
【図１４】上記植物育成装置を構成する水耕槽受けの上面図。
【図１５】上記植物育成装置を構成する光源及び廃熱孔の配置を示す斜視図。
【図１６】上記光源及び廃熱孔の配置を示す断面図。
【図１７】上記植物育成装置を構成する育成室を２つ互いに横並びに配置した状態で第１の連結ユニット及び端部ユニットを用いて互いに連結したときの側断面図。
【図１８】上記第１の連結ユニットの分解斜視図。
【図１９】上記第１の連結ユニットによる水耕槽同士の連結を示す斜視図。
【図２０】上記端部ユニットの分解斜視図。
【図２１】上記植物育成装置を構成する水耕槽を２つ互いに縦並びに配置した状態で第２の連結ユニット及び端部ユニットを用いて互いに連結したときの側断面図。
【発明を実施するための形態】
【００２８】
本発明の第１の実施形態に係る植物育成装置について、図１乃至図８を参照して説明する。図１に示すように、植物育成装置１は、育成対象の植物Ｐが収容される育成室Ｒを有するケース２と、植物Ｐに対して光を照射する光源３と、植物Ｐが植えられる栽培容器４と、植物育成装置１の近傍に存在する人を検知する人検知センサ５と、を備える。ケース２には育成室Ｒを開閉する透明な扉（窓）２１が設けられ、植物育成装置１の外側から植物Ｐの様子が見えるようになっている。ケース２は、例えば、アクリル樹脂により構成される。光源３は、育成室Ｒ内の上方に設けられた光源収容室３０（後述する図２や図５参照）に収容される。光源収容室３０と育成室Ｒとは、互いに連通しておらず、光源３からの光が植物Ｐに照射されるように透光性の仕切り部材３０ａにより互いに仕切られている。光源３は、白色光を発する複数の白色ＬＥＤ３１が列状に並べられたものと、赤色光を発する複数の赤色ＬＥＤ３２が列状にならべられたものと、が交互に繰り返し配置されたものにより構成される。人検知センサ５は、人から発せられる赤外放射を感知することで人を検知する。
【００２９】
また、植物育成装置１は、その一側面に光源収容室３０と連通され光源３からの熱を外部に廃熱するための廃熱孔３３と、外界から育成室Ｒに空気を吸気するための穴１２と、穴１２に取り付けられたエアフィルタ１３と、を有する。また、植物育成装置１は、パソコンＰＣとの接続に用いられるＬＡＮジャック１４を有し、このＬＡＮジャック１４を介してＬＡＮケーブル１５によりパソコンＰＣと接続される。パソコンＰＣは、光源３の点灯や後述する換気ユニットの動作を制御するのに用いられる。また、植物育成装置１は、育成室Ｒや外界の温度を計測する温度計と、育成室Ｒや外界の湿度を計測する湿度計と、を有する。
【００３０】
図２乃至図５に示すように、植物育成装置１は、育成室Ｒに空気を吸気及び排気する換気ユニット６と、育成室Ｒの様子を映すカメラ７と、植物Ｐを水耕栽培する際に用いられるポンプ８及び水冷ユニット９と、を更に備える。カメラ７は、ＣＣＤカメラにより構成され、植物Ｐの様子をリアルタイムでパソコンＰＣに送信する。
【００３１】
換気ユニット６は、外界から育成室Ｒに空気を吸気する吸気ユニット６１と、この吸気ユニット６１と対向した位置に設けられ育成室Ｒから外界に空気を排気する排気ユニット６２と、を有する。吸気ユニット６１は育成室Ｒ（図２においてドットで示す）と穴１２との間に設けられ、排気ユニット６２は育成室Ｒの上方に設けられる。
【００３２】
吸気ユニット６１は、穴１２を介して外界と連通した吸気口６３と、吸気口６３を開閉する吸気ダンパ６４と、吸気口６３を通って外界から流入してきた空気を育成室Ｒ方向に送風する送風機６５、とを有する。送風機６５は、植物Ｐが育成される期間を通じて常時運転している。送風機６５により送風された空気は、ケース２の送風機６５と相対する面に設けられた複数の孔２２を通って育成室Ｒに入る。また、吸気ユニット６１は、吸気ダンパ６４を閉じて育成室Ｒ内において空気を循環させる際に空気を送風機６５の上流に導くための通路６６と、通路６６を開閉する循環ダンパ６７と、を有する。ケース２の通路６６と相対する面には、育成室Ｒ内を循環する空気を通すための複数の孔２３が設けられる。吸気ダンパ６４及び循環ダンパ６７は、それぞれ吸気ダンパドライバ６４ａ及び循環ダンパドライバ６７ａにより開閉駆動される。
【００３３】
排気ユニット６２は、外界と連通した排気口６８と、排気口６８を開閉する排気ダンパ６９と、を有する。排気ダンパ６９は、排気ダンパドライブ６９ａにより開閉駆動される。育成室Ｒから排気口６８を通って排気ユニット６２内に入ってきた空気は、ケース２に設けられ外界へ繋がる穴２４を通って外界へ排気される。
【００３４】
吸気ダンパ６４、循環ダンパ６７、及び排気ダンパ６９の開閉を制御する換気ユニット制御部（不図示）は、パソコンＰＣに組み込まれ、ユーザがパソコンＰＣを操作することにより、又はパソコンＰＣに読み込まれたプログラムに従って機能する。換気ユニット制御部は、吸気ダンパ６４と排気ダンパ６９とを同調して開閉し、吸気ダンパ６４及び排気ダンパ６９を開く場合には循環ダンパ６７を閉じ、吸気ダンパ６４及び排気ダンパ６９を閉じる場合には循環ダンパ６７を開く。
【００３５】
光源３の白色ＬＥＤ３１は、植物Ｐを照明するために用いられ、例えば、青色光を出射するＧａＮ系青色ＬＥＤチップに黄色蛍光体を被覆したものにより構成される。赤色ＬＥＤ３２としては、６６０ｎｍ付近にピーク波長を有する赤色光を発するＬＥＤが好適に用いられる。このような赤色光は、植物Ｐのフィトクロム光受容体により効率良く吸収され、植物Ｐの光合成を活性化することで植物Ｐの成長を促進する。
【００３６】
光源３の点灯は、パソコンＰＣに組み込まれた光源制御部（不図示）により制御される。光源制御部は、白色ＬＥＤ３１と赤色ＬＥＤ３２とをそれぞれ別個に制御する。光源制御部は、人検知センサ５と連係して動作し、人検知センサ５が植物育成装置１の周囲に人を検知している場合には赤色ＬＥＤ３２から照射される赤色光の放射エネルギが白色ＬＥＤ３１から照射される白色光の放射エネルギの１／２以下となるように制御する。また、光源制御部は、人検知センサ５が植物育成装置１の周囲に人を検知していない場合には、同赤色光の放射エネルギが同白色光の放射エネルギの１／２以上となるように制御する。
【００３７】
図６及び図７に示すように、栽培容器４は、育成室Ｒ内に設けられる。栽培容器４は、水Ｗ（又は養液）が張られ植物Ｐを水耕栽培するための水耕槽４１と、水耕槽４１の下方に配置され水耕槽４１からの水Ｗが流れ込むバケット４２と、を有する。水耕槽４１及びバケット４２は、共に長尺な箱型形状とされ、水耕槽４１よりもバケット４２の方が一回り大きく、バケット４２の最大貯水容量が水耕槽４１の最大貯水容量よりも大きく構成されている。水耕槽４１は、バケット４２の内部に水平に取り付けられた支持板４３の上に載置された状態でバケット４２に収容される。バケット４２とケース２との間には、複数のスペーサ４４が介在する。これらスペーサ４４は、それらの高さが調整可能に構成されており、スペーサ４４の高さを変えることで光源３と栽培容器４との間隔が変化する。植物Ｐは、水Ｗに浮かべられた浮き板４０に開けられた穴に差し込まれた状態で栽培される。バケット４２の内側には水Ｗを温めるヒータ（不図示）が水Ｗに常に浸かった状態で設置され、このヒータ及び水Ｗの冷却に用いられる水冷ユニット９（後述する図８（ａ）（ｂ）参照）の動作は、共にパソコンＰＣによってプログラム制御される。
【００３８】
水耕槽４１は、その一端に自身の底面を貫通して垂直方向に伸びる筒形状の排水路４５と、排水路４５の上側の開口部４５ａを囲うように設けられた仕切り板４６と、を有する。排水路４５の下側の開口部とバケット４２に貯まった水Ｗの水面との間には、間隔が空くように構成されている。仕切り板４６は、その上端部の水面方向高さが開口部４５ａよりも高くなるように形成され、かつ開口部４５ａよりも水面方向高さが低い部分に開口４６ａを有する。また、水耕槽４１は、その他端に水冷ユニット９からの水Ｗが注水される注水口４７を有する。注水口４７と水冷ユニット９とは、ホース４７ａにより繋がれている。
【００３９】
注水口４７から注水された水Ｗは、排水路４５方向へ移動し、仕切り板４６の開口４６ａをくぐった後、排水路４５の開口部４５ａから排水路４５に流れ込む（図６において水Ｗの進路を点線矢印で示す）。排水路４５を伝ってバケット４２に流れ落ちた水Ｗは、気泡Ｋを発生させて水Ｗに酸素を溶け込ませる（エアレーション）。これにより、植物Ｐの育成効率が向上する。バケット４２に貯まった水Ｗの水量は、水位センサ４８により検知される。バケット４２の水Ｗは、バケット４２の一端に設けられたコネクタ４９、コネクタ４９に取り付けられたホース４９ａ、ホース４９ａに取り付けられたコネクタ８１、そしてコネクタ８１に取り付けられたホース８２を介してポンプ８に送られる。
【００４０】
図８（ａ）（ｂ）に示すように、ポンプ８は、バケット４２から送られてきた水をホース８３を介して水冷ユニット９へ送出する（水の流れを矢印で示す）。水冷ユニット９は、ポンプ８から送られてきた水を冷却して水温調整する。水冷ユニット９により冷却された水は、水冷ユニット９から導出されたホース９６、ホース９６に取り付けられたコネクタ９７、そしてコネクタ９７に取り付けられたホース４７ａを介して水耕槽４１の注水口４７へ送出される。
【００４１】
次に、上記のように構成された植物育成装置１において、外界から育成室Ｒに空気を吸排気する場合の動作について説明する。図９に示すように、換気ユニット６は、吸排気時には吸気ダンパ６４及び排気ダンパ６９を開き、循環ダンパ６７を閉じる。こうすることで、外界からの空気が、穴１２及び吸気口６３を通って吸気ユニット６１に入りこみ、更に、送風機６５により育成室Ｒ方向へ送風され、孔２２を通って育成室Ｒに吸気される（空気の流れを点線矢印で示す）。この外界から吸気された空気は、植物Ｐの光合成により二酸化炭素（ＣＯ２）が消費されて酸素（Ｏ２）が多くなった育成室Ｒ内の空気よりも重い。そのため、外界から吸気されたＣＯ２を多く含む空気は育成室Ｒの下方に沈み、この空気に押し出される形で元々育成室ＲにあったＯ２を多く含む軽い空気が育成室Ｒの上方に移動する。上方に移動したＯ２を多く含む空気は、排気ユニット６２の排気口６８を通過した後、穴２４から外界へ排気される。排気ユニット６２が育成室Ｒの上方に設けられているので、Ｏ２を多く含む軽い空気が優先的に育成室Ｒから排気される。
【００４２】
一方、育成室Ｒ内において空気を循環させる場合には、図１０に示すように、換気ユニット６は吸気ダンパ６４及び排気ダンパ６９を閉じて、循環ダンパ６７を開く。こうすることで、空気が送風機６５によって育成室Ｒへ送風され、これにより育成室Ｒ内から押し出された空気が孔２３及び通路６６を通って再び送風機６５の上流へ戻り、育成室Ｒ内において空気が循環する。
【００４３】
上述のように、換気ユニット６は、育成室Ｒ内の空気を吸排気する吸排気モードと、育成室Ｒ内の空気を循環させる循環モードと、の２つの異なるモードで動作する。これらのモードは、所定の時間ごとに互いに切り替わるように制御される。この制御は、モードの切り替え時間に関する情報を記憶する記憶部と、この記憶部に記憶された情報に基づいて換気ユニット６の動作を制御する換気ユニット制御部と、により行われる。記憶部及び換気ユニット制御部は、共にパソコンＰＣに組み込まれている。モード切り替え時間に関する情報は、外部サーバより電気通信回線（インターネット）を通じてパソコンＰＣの記憶部に供給される。外部サーバには、様々な植物Ｐに最適化された種々のモード切り替え時間がライブラリとしてストックされている。ユーザは、このライブラリの中から適当なモード切り替え時間を選択し、それをパソコンＰＣにダウンロードして使用する。これにより、今までに育成したことがない植物Ｐを育成する場合であっても、最適な条件で植物Ｐを育成することができる。また、カメラ７が取得した植物Ｐの映像を元に、遠隔操作でモード切り替え時間や光源３の光照射パターンを変更してもよい。
【００４４】
本実施形態の植物育成装置１によれば、換気ユニット６が吸排気モード及び循環モードのいずれか一方のモードで動作する。そのため、吸排気モードにおいて外界から育成室Ｒに空気（二酸化炭素）を取り込み、循環モードにおいて育成室Ｒ内の空気を循環させて育成室Ｒ内の酸素／二酸化炭素濃度や温度、湿度を均一化することができるので、効率良く植物Ｐを育成することができる。
【００４５】
また、植物育成装置１の近傍に人が存在する場合には、赤色ＬＥＤ４２からの赤色光の放射エネルギが、白色ＬＥＤ４１からの白色光の放射エネルギの１／２以下となるように制御される。これにより、人が植物Ｐを見たときに、植物Ｐが赤みがかって見えることを防いで、植物Ｐの見栄えを良くすることができる。一方、植物育成装置１の近傍に人が存在しない場合には、赤色ＬＥＤ４２からの赤色光の放射エネルギが、白色ＬＥＤ４１からの白色光の放射エネルギの１／２以上となるように制御される。これにより、植物Ｐに赤色ＬＥＤ４２からの赤色光を多く照射して、赤色光が無い又は少ない場合に比べて、より効率良く植物Ｐの成長を促進することができる。
【００４６】
また、スペーサ４４の高さが調整可能となっているので、植物Ｐの成長に応じて光源３と栽培容器４との間隔を変更することできる。例えば、植物Ｐが初期の発育段階にあってまだ小さい場合には、光源３と栽培容器４とを近接させて植物Ｐに対して集中的に光源３からの光が照射されるようにする。また、植物Ｐが成長して大きくなった場合には、光源３と栽培容器４とを離して植物Ｐの広い範囲に光源３からの光が照射されるようにする。
【００４７】
また、排水路４５を垂直方向に伸びる筒形状とすることで、水耕槽４１から溢れ出た水Ｗだけが排水されるので、例えば、水冷ユニット９から水耕槽４１への注水速度が変化したとしても水耕槽４１に貯まった水Ｗの水量を常に一定に保つことができる。なお、排水路４５の高さは、水耕槽４１最大容量の半分以下の水Ｗが水耕槽４１に貯まるように調整されることが好ましい。また、水Ｗが仕切り板４６の開口４６ａを通って排水路４５に流れ込むようにすることで、水耕槽４１の水面に浮いたゴミが排水路４５に流れ込み難くなる。これにより、バケット４２へのゴミの落下を防いで、ポンプ８の目詰まりを防ぐことができる。また、より確実にバケット４２へのゴミの落下を防ぐために、排水路４５の開口部４５ａにゴミを回収するメッシュ等を設けてもよい。なお、排水路４５は、図示したような円筒形状に限定されず、例えば、角筒形状とされてもよい。
【００４８】
更に、バケット４２の最大貯水容量が水耕槽４１の最大貯水容量よりも大きく構成されているので、例えば、水耕槽４１が破損して水漏れが起こったとしても、漏出した水はバケット４２に貯まり、他の機器類が水浸しになって故障する虞がない。また、水Ｗには育成室Ｒ内の気温変化を緩衝する作用があるので、ヒータ及び水冷ユニット９を用いて水Ｗの水温を一定に保っておけば、育成室Ｒ内の気温も概ね一定に保持することができる。
【００４９】
次に、本発明の第２の実施形態に係る植物育成装置について、図１１乃至図１６を参照して説明する。図１１に示すように、植物育成装置１０は、育成室Ｒを開閉する矩形状の扉２１と、扉２１に設けられた窓２１ａと、扉２１を開閉するときに用いられる持ち手２１ｂと、を有する。扉２１は、その下端部両端にそれぞれ設けられたヒンジ２１ｃによってケース２と接続されており、その下辺を回動軸として開閉可能となっている（後述する図１５も参照）。また、植物育成装置１０では、養液タンク（バケット）４２、ポンプ８及び水冷ユニット９が、水耕槽４１の下方に配置されている。また、植物育成装置１０は、その底面に設けられた複数のキャスター１６と、その側面に設けられた取っ手１７と、を備え、取っ手１７を持って自由に移動可能となっている。更に、植物育成装置１０は、植物の種子を発芽させるための発芽室１８を備える。
【００５０】
発芽室１８は、植物育成装置１０の一側面に設けられた凹部１８ａと、凹部１８ａを開閉自在に塞ぐ開閉蓋１８ｂと、凹部１８ａの上面に設けられた発芽室ＬＥＤ（不図示）と、を有する。発芽室ＬＥＤには、例えば、電球色ＬＥＤが用いられ、この電球色ＬＥＤを低輝度で所定時間点灯させる。発芽室１８は、発芽室ＬＥＤを消灯した暗黒条件下又は発芽室ＬＥＤを点灯した弱光条件下において植物種子の催芽を行う。発芽室１８内には、水冷ユニット９と水耕槽４１とを結ぶホース９６（不図示）が通っている。このようにすることで、水冷ユニット９によって温度制御された水がホース９６内を通って発芽室１８内の温度が略一定に保たれるので、効率良く催芽することができる。なお、発芽室ＬＥＤの点灯時間を制御するタイマを更に設け、発芽させる種子の品種によって発芽室ＬＥＤの点灯時間を調整するようにしてもよい。また、発芽室１８を新芽（スプラウト）を育成するスプラウト室として利用しても良く、この場合、発芽してから一定時間後に光を照射することで、スプラウトの茎高さ及びスプラウトに含まれる栄養素をある程度制御することができる。
【００５１】
図１２に示すように、植物育成装置１０では、水耕槽４１の上面に蓋５１が被せられている。蓋５１は、遮光性とされ、植物Ｐが差し込まれる複数の差し込み口５２と、複数の差し込み口５２の各々に着脱可能に取り付けられる遮光性のキャップ５３と、注入口４７が挿通される挿通孔５４と、を有する（図１３（ａ）（ｂ）も参照）。植物Ｐを育成する場合には、キャップ５３を外して差し込み口５２に植物Ｐを差し込み、植物Ｐが差し込まれていない差し込み口５２にはキャップ５３が取り付けられる。このように遮光性の蓋５１及びキャップ５３を設けることで、光源３からの光が水Ｗに照射されなくなるので、水Ｗ中における藻の発生や、水Ｗに含まれる栄養素の光分解を防止することができる。
【００５２】
複数の差し込み口５２は、水耕槽４１に係合する蓋５１の外縁から一段落とし込まれた下面５５に設けられ、それぞれ下方に伸びるリブ５２ａを有する。リブ５２ａの下面高さは、水耕槽４１に貯まった水Ｗの水面高さ、すなわち、排水路４５の高さと略同じになるように構成されている。これにより、植物育成装置１０に振動が加わったときに、水Ｗの揺れを最小限に抑えることができる。
【００５３】
また、蓋５１は、育成室Ｒの壁面に取り付けられた固定具５６により水耕槽４１に固定されている。固定具５６は、図例では、上方から蓋５１を水耕槽４１に押しつける固定部材５６ａと、固定部材５６ａを育成室Ｒの壁面にネジ止めするネジ５６ｂと、を有する。このようにすることで、蓋５１が水耕槽４１から外れにくくなって、例えば、植物育成装置１０をキャスター１６により移動させたり、地震等で植物育成装置１０に揺れが発生したとしても、水耕槽４１から水Ｗがこぼれるのを防止することができる。また、植物Ｐが差し込まれていない差し込み口５２にはキャップ５３が取り付けられているので、差し込み口５２から水Ｗが溢れ出すことも防止できる。
【００５４】
蓋５１は、排水路４５に対応する部分に設けられた開口５７と、開口５７に着脱可能に被せられる廃液部蓋５８と、を有する。廃液部蓋５８は、持ち手となる取っ手５８ａと、外部から水Ｗへの空気取り込みの際に用いられる空気穴５８ｂ（図１３（ａ）参照）と、を有する。また、排水路４５は、水耕槽４１に対して着脱可能又は高さ調整可能となっている。これは、例えば、排水路４５の外周面下端部にネジ溝を設け、このネジ溝に螺合するネジ穴を水耕槽４１に設け、排水路４５を水耕槽４１に螺着することで成される。このようにすることで、廃液部蓋５８を蓋５１から取り外して排水路４５を露出させ、次いで、排水路４５を水耕槽４１から取り外せば水耕槽４１に貯まった水Ｗを全排水することができるので、水Ｗの交換や水耕槽４１の掃除が容易になる。また、排水路４５の高さを調整することで、水Ｗの水面高さを自在に調整することができる。
【００５５】
図１２に戻って、植物育成装置１０では、水耕槽４１が、育成室Ｒの底面を構成する水耕槽受け２５に載置されている。水耕槽受け２５には、水耕槽４１の表面で生じた結露水Ｄが貯まる溝２６と、排水路４５及び排水路４５の周りを覆うパイプ４５ｂが挿通される縦穴２７と、が設けられている（図１４も参照）。パイプ４５ｂと縦穴２７との間には結露水Ｄが流れ落ちることができる隙間が設けられ、パイプ４５ｂ及び縦穴２７の下方には、養液タンク４２が配置されている。また、溝２６は、結露水Ｄが縦穴２７へ流れ込むように縦穴２７に向かって傾斜している。このようにすることで、結露水Ｄが溝２６を流れ落ちて縦穴２７から養液タンク４２に落ちるので、水耕槽受け２５が結露水Ｄで水浸しになるのを防ぐことができる。これにより、結露水Ｄが水耕槽受け２５に溜まり、その結果引き起こされ得る水耕槽受け２５での藻の発生や雑菌の繁殖を防止することができる。
【００５６】
また、図１５及び図１６に示すように、植物育成装置１０は、吸気ユニット６１と排気ユニット６２とを結ぶエアフロー方向と直交する方向における両側面の少なくとも一方に扉２１を備える。また、植物育成装置１０は、扉２１が設けられた側面に廃熱孔３３を備える。廃熱孔３３は、扉２１を閉めたときに扉２１の陰に隠れて外部に露出しない位置に設けられている。これにより、植物育成装置１０の意匠性を良くすることができる。
【００５７】
また、植物育成装置１０は、エアフロー方向における一端側かつ光源３の側方に設けられ光源３に対して送風する光源用送風機３４を備える。光源３は、エアフロー方向における両端部の各々に、自身から発せられた熱を外部に放熱するための複数のスリット３５を有する。スリット３５と廃熱孔３３とを結ぶ廃熱路３６（図１６参照）は、エアフロー方向に直交してスリット３５から装置外方に伸びる直交部３７（一点鎖線で示す）と、直交部３７と連結されエアフロー方向に沿って伸びる平行部３８（二点鎖線で示す）と、を有する。直交部３７及び平行部３８の壁面は、黒色に塗装されている。
【００５８】
上記のように構成することで、光源用送風機３４から発せられた風（図１６において経路を破線矢印で示す）は、スリット３５を通って光源部３の内部を通過した後、直交部３７及び平行部３８を経て、廃熱孔３３から外部に排出される。この風の流れに乗って、光源３のＬＥＤ３１、３２の発光に伴って発生した熱が外部に放熱される。一方、ＬＥＤ３１、３２から発せられた光は、スリット３５から光源３の外部に出射した後、壁面が黒色に塗装された直交部３７及び平行部３８で反射する過程で減衰して、廃熱孔３３から外部には殆ど出射しない。これにより、廃熱孔３３及び廃熱孔３３周辺の扉２１領域からの光漏れを防止しつつ、廃熱孔３３から効率良く外部に放熱することができる。
【００５９】
次に、複数の育成室Ｒを互いに横並びで連結する場合について、図１７乃至図２０を参照して説明する。図１７に示すように、植物育成装置２０は、互いに横並びに配置された２つの育成室Ｒを、第１の連結ユニット７１を用いて互いに連結したものである。２つの育成室Ｒは、各々の排気ユニット６２が設けられた側面が互いに相対するように配置されている。以下では、２つの育成室Ｒを互いに区別するために、左側に配置されたものを育成室Ｒ１と呼び、右側に配置されたものを育成室Ｒ２と呼ぶ。
【００６０】
第１の連結ユニット７１は、育成室Ｒ１、Ｒ２間で互いに空気が流れるように、育成室Ｒ１、Ｒ２を互いに連通させる。また、第１の連結ユニット７１は、育成室Ｒ１側の光源収容室３０ａと育成室Ｒ２側の光源収容室３０ｂとを互いに連通させ、かつ育成室Ｒ２側の水耕槽４１ｂから育成室Ｒ１側の水耕槽４１ａへ水が流れるように水耕槽４１ａ、４１ｂを互いに連結する。また、育成室Ｒ１、Ｒ２各々の第１の連結ユニット７１が設けられた側とは反対側の端部には、吸気ユニット６１や光源用送風機３４を目隠しする端部ユニット７２が設けられている。
【００６１】
図１８に示すように、第１の連結ユニット７１は、育成室Ｒ１の側面に取り付けられる第１の側面部７３と、育成室Ｒ２の側面に取り付けられる第２の側面部７４と、これら側面部７３、７４の間に設けられる目隠し部７５と、を有する。また、第１の連結ユニット７１は、水耕槽４１ａ、４１ｂを互いに連結する連結部７６を有する。
【００６２】
第１の側面部７３は、矩形平板形状の支持板７３ａと、支持板７３ａ上において育成室Ｒ１に対応する位置に設けられた穴７３ｂと、支持板７３ａ上において光源収容室３０ａに対応する位置に設けられた穴７３ｃと、を有する。また、第１の側面部７３は、穴７３ｂに対応する位置に立設された矩形の枠体７３ｄと、枠体７３ｄと同方向に伸び穴７３ｃに対応する位置に立設された矩形の枠体７３ｅと、連結部７６を通すための窪み７３ｆと、を有する。一方、第２の側面部７４は、矩形平板形状の支持板７４ａと、支持板７４ａ上に設けられ枠体７３ｄが嵌り込む穴７４ｂと、支持板７４ａ上に設けられ枠体７３ｅが嵌り込む穴７４ｃと、連結部７６を通すための窪み７４ｄと、を有する。第１の側面部７３は、その枠体７３ｄ、７３ｅの各々が第２の側面部７４の穴７４ｂ、７４ｃにそれぞれ嵌り込んだ状態で、第２の側面部７４と一体化される。目隠し部７５は、長尺な平板を略Ｕ字状に折り曲げたものにより構成され、枠体７３ｄ、７３ｅ及び連結部７６を隠すようにして第１の側面部７３及び第２の側面部７４の間に挟持される。
【００６３】
図１９に示すように、連結部７６は、筒形状とされ、その両端部の各々に水耕槽４１ａ、４１ｂの各々との螺合に用いられるネジ溝７６ａ、７６ｂを有する。連結部７６は、そのネジ溝７６、７６ｂａがそれぞれ水耕槽４１ａ、４１ｂ各々の側面に設けられたネジ穴４１ｃ、４１ｄと螺合することで、水耕槽４１ａ、４１ｂ間で水の行き来ができるように水耕槽４１ａ、４１ｂを互いに連結する。また、水耕槽４１ｂでは、排水路４５が取り除かれ、排水路４５が固定されていた穴には栓４１ｅが取り付けられている。このようにすることで、水冷ユニット９から水耕槽４１ｂの端部に給水された水は、連結部７６を通って水耕槽４１ａへ供給された後、水耕槽４１ａ端部の排水路４５から排水されて養液タンクに回収される。なお、水耕槽４１ａ、４１ｂには、水の流れを一定に整える整流板４１ｆ、４１ｇがそれぞれ設けられている。
【００６４】
図２０に示すように、端部ユニット７２は、吸気ユニット６１及び光源用送風機３４の各々が取り付けられる穴７７ａ、７７ｂが設けられた矩形平板状の支持板７７を有する。また、端部ユニット７２は、吸気ユニット６１及び光源用送風機３４の各々に取り付けられる送風機ダクト７８ａ、７８ｂと、送風機ダクト７８ａ、７８ｂが外部から見えないようにする目隠し部７９を有する。目隠し部７９は、矩形の箱型形状とされ、送風機ダクト７８ａ、７８ｂを内含した状態で支持板７７に取り付けられる。
【００６５】
次に、複数の水耕槽４１を互いに縦並びで連結する場合について、図２１を参照して説明する。植物育成装置２０ａは、互いに縦並びに配置された２つの水耕槽４１を、第２の連結ユニット８０を用いて互いに連結したものである。ここで、２つの水耕槽４１を互いに区別するために、上側に配置されたものを水耕槽４１ａと呼び、下側に配置されたものを水耕槽４１ｂと呼ぶ。水耕槽４１ａが設けられた育成室Ｒ１及び水耕槽４１ｂが設けられた育成室Ｒ２は、各々の吸気ユニット６１及び光源用送風機３４が同じ側に位置するように配置されている。育成室Ｒ１、Ｒ２各々の吸気ユニット６１及び光源用送風機３４は、上述した端部ユニット７２により覆われている。
【００６６】
水耕槽４１ａでは、排水路４５が取り除かれ、排水路４５が固定されていた穴には栓４１ｅが取り付けられている。第２の連結ユニット８０は、水耕槽４１ａの栓４１ｅ近傍の端部から水耕槽４１ｂの排水路４５が設けられた側とは反対側の端部へ水が流入するように接続するホース４９ａと、ホース４９ａが外部に露出しないように隠す目隠し部７９と、を有する。これにより、水冷ユニット９から水耕槽４１ａの端部に給水された水は、ホース４９ａを通って水耕槽４１ａへ供給された後、水耕槽４１ｂ端部の排水路４５から排水されて養液タンクに回収される。
【００６７】
上記植物育成装置２０によれば、育成室Ｒ１、Ｒ２、光源収容室３０ａ、３０ｂ及び水耕槽４１ａ、４１ｂをそれぞれ互いに横並びに連結することができる。また、上記植物育成装置２０ａによれば、水耕槽４１ａ、４１ｂを互いに縦並びに連結することができる。このとき、育成室Ｒ１、Ｒ２の連結部分や端部は、第１の連結ユニット７１又は第２の連結ユニット８０や端部ユニット７２により隠されて外部に露出しない。そのため、植物育成装置２０、２０ａの見た目がすっきりとしたスマートなものとなり、植物育成装置２０、２０ａを家具等に組み込んでインテリアの一つとして楽しむことも可能となる。なお、互いに連結する育成室Ｒや水耕槽４１の数は２つに限定されず、３つ以上のものを互いに連結する構成としてもよい。
【００６８】
なお、本発明に係る植物育成装置は、上記実施形態に限定されず、種々の変形が可能である。例えば、本装置は必ずしも栽培容器を備える必要はなく、ケース内に直接に植物を配置してもよい。また、植物の栽培は水耕栽培に限定されず、植物を土耕栽培してもよい。また、吸排気モードと循環モードとの切り替えは、マニュアルで行ってもよいし、育成室内にＣＯ２濃度を測定するＣＯ２センサを設け育成室内のＣＯ２濃度が低下した場合には吸排気モードに切り替わるようにしてもよい。また、より効率良く植物に光源からの光を照射するために、植物を覆うように光源をアーチ状に配置してもよいし、植物の上方だけでなく植物の側方にも光源を配置してもよい。また、より厳密に育成室内の気温を管理するために、空気の温度を制御する空温冷ユニットを設けてもよい。また、植物育成装置の動作制御に用いられるパソコンの機能を、植物育成装置に組み込んだ構成としてもよい。更に、植物の成長を促進するためにイオンミストを発生させる静電霧化装置を設けてもよい。
【符号の説明】
【００６９】
１、１０、２０、２０ａ  植物育成装置
１８  発芽室
２１  扉
２５  水耕槽受け
２６  溝
２７  縦穴
３  光源
３０、３０ａ、３０ｂ  光源収容室
３１  白色ＬＥＤ
３２  赤色ＬＥＤ
３３  廃熱孔
３５  スリット
３６  廃熱路
３７  直交部
３８  平行部
４  栽培容器
４１、４１ａ、４１ｂ  水耕槽
４２  バケット（養液タンク）
４５  排水路
４５ａ  排水路の上側の開口部
４６  仕切り板
４６ａ  仕切り板の開口
５  人検知センサ
５１  蓋
５２  差し込み口
５３  キャップ
５６  固定具
６  換気ユニット
６１  吸気ユニット
６２  排気ユニット
６３  吸気口
６４  吸気ダンパ
６５  送風機
６６  空気を送風機の上流に導くための通路
６７  循環ダンパ
６８  排気口
６９  排気ダンパ
７１  第１の連結ユニット
８０  第２の連結ユニット
８  ポンプ
９  水冷ユニット
Ｄ  結露水
Ｐ  植物
Ｒ、Ｒ１、Ｒ２  育成室
Ｗ  水
【図１】
0006331248.tif 000002
【図２】
0006331248.tif 000003
【図３】
0006331248.tif 000004
【図４】
0006331248.tif 000005
【図５】
0006331248.tif 000006
【図６】
0006331248.tif 000007
【図７】
0006331248.tif 000008
【図８】
0006331248.tif 000009
【図９】
0006331248.tif 000010
【図１０】
0006331248.tif 000011
【図１１】
0006331248.tif 000012
【図１２】
0006331248.tif 000013
【図１３】
0006331248.tif 000014
【図１４】
0006331248.tif 000015
【図１５】
0006331248.tif 000016
【図１６】
0006331248.tif 000017
【図１７】
0006331248.tif 000018
【図１８】
0006331248.tif 000019
【図１９】
0006331248.tif 000020
【図２０】
0006331248.tif 000021
【図２１】
0006331248.tif 000022